(57)【要約】【課題】塗布部を出没させる軸筒の開口に蓋が密着し、軸筒の内外の通気を確実に遮断することができる塗布具を提供することである。【解決手段】軸筒２は、開口面１０ａと、開口面１０ａの周囲を覆う先端湾曲部２３を有する。蓋部３０と磁性体部３３を有する開閉部材１２が、開口面１０ａを開閉する。開閉部材１２は、ヒンジ部３１を介して軸筒２に接続されている。先端湾曲部２３と開閉部材１２の間に突出片３２があり、突出片３２は先端湾曲部２３に当接している。突出片３２と蓋部３０は、自然状態で所定の位置関係にある。突出片３２と蓋部３０の間に付勢力を生じさせながら蓋部３０を押し開くと、塗布部８を開口面１０ａから突出させることができる。磁石２２を有し、塗布部８を軸筒２内に収容したとき、突出片３２と蓋部３０の間に生じた付勢力によって蓋部３０が閉じ側に移動し、磁性体部３３が磁石２２に吸引されて蓋部３０が開口面１０ａを閉塞する。【選択図】図５
2017087684.tif 000002
【特許請求の範囲】
【請求項１】
先端近傍に突出開口を有し、突出開口の周囲に突出開口の少なくとも一部を覆う周壁を有する軸筒と、
突出開口を開閉する開閉部材と、先端に塗布部を有する移動体を有し、
前記移動体は、前記軸筒内にあって軸方向に移動可能であり、前記移動体を移動させて塗布部を軸筒の突出開口から突出させる塗布具であって、
前記突出開口の近傍に磁石があり、
前記開閉部材は、一部又は全部に磁石に吸引される磁性体部があり、
開閉部材は、一部が突出開口の近傍にヒンジ結合されていて、当該ヒンジ結合部を中心として突出開口を開閉する方向に揺動可能であり、
前記周壁と開閉部材の間に付勢部材があり、
前記磁性体部を有する開閉部材は、磁石に吸引されて対応する突出開口を閉塞し、移動体を先端側に移動させて開閉部材を押し開き、塗布部を軸筒の突出開口から突出させることが可能であり、移動体を後端側に移動させて軸筒内に収容したとき、前記付勢部材によって開閉部材が閉じ側に押圧されて開閉部材が閉じ側に移動することを特徴とする塗布具。
【請求項２】
先端近傍に突出開口を有する軸筒と、突出開口を開閉する開閉部材と、先端に塗布部を有する複数の移動体を有し、前記移動体は前記軸筒内にあって軸方向に移動可能であり、前記移動体を移動させて塗布部を軸筒の突出開口から突出させる塗布具であって、
前記突出開口の近傍に磁石があり、
前記開閉部材は、一部又は全部に磁石に吸引される磁性体部があり、
開閉部材は、一部が突出開口の近傍にヒンジ結合されていて、当該ヒンジ結合部を中心として突出開口を開閉する方向に揺動可能であり、
開閉部材を閉じ方向に付勢する付勢部材を有し、
前記磁性体部を有する開閉部材は、磁石に吸引されて対応する突出開口を閉塞し、移動体を先端側に移動させて開閉部材を押し開き塗布部を軸筒の突出開口から突出させることが可能であり、移動体を後端側に移動させて軸筒内に収容したとき、前記付勢部材によって開閉部材が閉じ側に押圧されて開閉部材が閉じ側に移動することを特徴とする塗布具。
【請求項３】
付勢部材の付勢力は、磁石を外した状態で軸筒を垂直下方向に向けたとき、突出開口の内外に通気性が生じ、磁石を装着した状態で軸筒を垂直下方向を向けたとき、開閉部材が突出開口を封鎖して通気性が失われる程度であることを特徴とする請求項１又は請求項２に記載の塗布具。
【請求項４】
付勢部材は、開閉部材と一体不可分であることを特徴とする請求項１乃至請求項３のうちのいずれかに記載の塗布具。
【請求項５】
付勢部材は、開閉部材と一体不可分であり、棒状又は板状であって、開閉部材の背面に一端が接続され、他端側は自由端であることを特徴とする請求項１乃至請求項４のうちのいずれかに記載の塗布具。
【請求項６】
突出開口は、磁石配置側が先端側となりヒンジ結合部側が後端側となる傾斜した開口であることを特徴とする請求項１乃至請求項５のうちのいずれかに記載の塗布具。
【発明の詳細な説明】
【技術分野】
【０００１】
本発明は、塗布部を出没させる軸筒の開口を、開閉部材で開閉する塗布具に関するものである。
【背景技術】
【０００２】
キャップレスの塗布具は、塗布部と、塗布部を収容する軸筒と、軸筒の先端部分を開閉する蓋を有している。塗布具を使用する際には、蓋が自動的に開き、塗布部を前進させて軸筒から突出させる。また、塗布具を使用しないときには、塗布部を軸筒内に収容すると共に、蓋が自動的に閉じることによって軸筒の内外の通気を遮断し、塗布部の乾燥を防止している。この様な塗布具が特許文献１に開示されている。
【先行技術文献】
【特許文献】
【０００３】
【特許文献１】特開２０１３−６３１７号公報
【発明の概要】
【発明が解決しようとする課題】
【０００４】
キャップレスの塗布具の構造を簡素化するために、本発明者は、軸筒と蓋をヒンジで結合し、さらに磁石を設けて、磁石の磁力で蓋を閉じる塗布具を試作した。ところが、塗布部を突出させる際には、塗布部を前進させて蓋を押圧し、蓋をヒンジを中心に回動させて開くことができるが、塗布部を後退させて軸筒内に収容した際に、開いた蓋が、磁石の磁力に吸引されず、蓋は期待通りに動作しないという新たな問題が発覚した。
【０００５】
そこで本発明は、不使用時には塗布部を収容した軸筒の開口に蓋が密着し、軸筒の内外の通気を確実に遮断することができる塗布具を提供することを目的としている。
【課題を解決するための手段】
【０００６】
上記課題を解決するための請求項１に記載の発明は、先端近傍に突出開口を有し、突出開口の周囲に突出開口の少なくとも一部を覆う周壁を有する軸筒と、突出開口を開閉する開閉部材と、先端に塗布部を有する移動体を有し、前記移動体は、前記軸筒内にあって軸方向に移動可能であり、前記移動体を移動させて塗布部を軸筒の突出開口から突出させる塗布具であって、前記突出開口の近傍に磁石があり、前記開閉部材は、一部又は全部に磁石に吸引される磁性体部があり、開閉部材は、一部が突出開口の近傍にヒンジ結合されていて、当該ヒンジ結合部を中心として突出開口を開閉する方向に揺動可能であり、前記周壁と開閉部材の間に付勢部材があり、前記磁性体部を有する開閉部材は、磁石に吸引されて対応する突出開口を閉塞し、移動体を先端側に移動させて開閉部材を押し開き、塗布部を軸筒の突出開口から突出させることが可能であり、移動体を後端側に移動させて軸筒内に収容したとき、前記付勢部材によって開閉部材が閉じ側に押圧されて開閉部材が閉じ側に移動することを特徴とする塗布具である。
【０００７】
請求項１に記載の発明では、開閉部材は、一部が突出開口の近傍にヒンジ結合されていて、当該ヒンジ結合部を中心として突出開口を開閉する方向に揺動可能であるので、突出開口を開閉することができる。
突出開口の近傍に磁石があり、開閉部材は、一部又は全部に磁石に吸引される磁性体部があるので、開閉部材が突出開口を閉じた際には、開閉部材の磁性体部が磁石に吸引される。そのため、開閉部材は対応する突出開口を確実に閉塞することができる。よって、突出開口において、軸筒の内外の通気が確実に遮断される。
開閉部材は、磁石に吸引されない強磁性体ではない部位と、磁石に吸引される強磁性体からなる部位を有していてもよく、開閉部材全体が磁石に吸引される強磁性体で構成されていてもよい。
周壁と開閉部材の間に付勢部材があり、付勢部材は、開閉部材を閉じる方向に付勢することができる。塗布時には、付勢部材の付勢力に抗して移動体を先端側に移動させて開閉部材を押し開いて、塗布部を軸筒の突出開口から突出させることが可能である。
また、移動体を後端側に移動させて塗布部を軸筒内に収容したとき、付勢部材に抗する力がなくなるので、開閉部材は付勢部材の付勢力によって閉じ側に移動する。また、開閉部材は、磁石に吸引されることにより、突出開口を確実に閉塞する。
【０００８】
請求項２に記載の発明は、先端近傍に突出開口を有する軸筒と、突出開口を開閉する開閉部材と、先端に塗布部を有する移動体を有し、前記移動体は前記軸筒内にあって軸方向に移動可能であり、前記移動体を移動させて塗布部を軸筒の突出開口から突出させる塗布具であって、前記突出開口の近傍に磁石があり、前記開閉部材は、一部又は全部に磁石に吸引される磁性体部があり、開閉部材は、一部が突出開口の近傍にヒンジ結合されていて、当該ヒンジ結合部を中心として突出開口を開閉する方向に揺動可能であり、開閉部材を閉じ方向に付勢する付勢部材を有し、前記磁性体部を有する開閉部材は、磁石に吸引されて対応する突出開口を閉塞し、移動体を先端側に移動させて開閉部材を押し開き塗布部を軸筒の突出開口から突出させることが可能であり、移動体を後端側に移動させて軸筒内に収容したとき、前記付勢部材によって開閉部材が閉じ側に押圧されて開閉部材が閉じ側に移動することを特徴とする塗布具である。
【０００９】
請求項２に記載の発明では、開閉部材は、一部が突出開口の近傍にヒンジ結合されていて、当該ヒンジ結合部を中心として突出開口を開閉する方向に揺動可能であるので、突出開口を開閉することができる。
突出開口の近傍に磁石があり、開閉部材は、一部又は全部に磁石に吸引される磁性体部があるので、開閉部材が突出開口を閉じた際には、磁性体部を有する開閉部材が磁石に吸引される。そのため、開閉部材は対応する突出開口を通気不能に確実に閉塞することができる。
また、塗布時には、移動体を先端側に移動させて、付勢部材の付勢力に抗して開閉部材を押し開き、塗布部を軸筒の突出開口から突出させることが可能である。
【００１０】
請求項３に記載の発明は、付勢部材の付勢力は、磁石を外した状態で軸筒を垂直下方向に向けたとき、突出開口の内外に通気性が生じ、磁石を装着した状態で軸筒を垂直下方向を向けたとき、開閉部材が突出開口を封鎖して通気性が失われる程度であることを特徴とする請求項１又は請求項２に記載の塗布具である。
【００１１】
請求項３に記載の発明では、付勢部材の付勢力は、磁石を外した状態で軸筒を垂直下方向に向けたとき、突出開口の内外に通気性が生じるが、磁石を装着した状態で軸筒を垂直下方向を向けたときには、開閉部材が突出開口を封鎖して通気性が失われる程度であるので、移動体を後端側に移動させて軸筒内に収容したとき、付勢部材によって開閉部材が閉じ側に押圧されて開閉部材が閉じ側に移動し、開閉部材は磁石の磁界の範囲内に入る。
そのため、移動体を後端側に移動させて軸筒内に収容するだけで、付勢部材の付勢力によって開閉部材は閉じ方向に移動し、さらに開閉部材は磁石の磁力に吸引されて突出開口を確実に閉塞する。
【００１２】
付勢部材は、開閉部材と一体不可分であるのが好ましい（請求項４）。
【００１３】
付勢部材は、開閉部材と一体不可分であり、棒状又は板状であって、開閉部材の背面に一端が接続され、他端側は自由端であるのが好ましい（請求項５）。
【００１４】
請求項６に記載の発明は、突出開口は、磁石配置側が先端側となりヒンジ結合部側が後端側となる傾斜した開口であることを特徴とする請求項１乃至請求項５のうちのいずれかに記載の塗布具である。
【００１５】
請求項６に記載の発明では、突出開口は、磁石配置側が先端側となりヒンジ結合部側が後端側となる傾斜した開口であるので、移動体が先端側に移動すると、開閉部材は、小さい開度で突出開口を開いて塗布部を突出開口から突出させることができる。また、移動体を複数有する場合に、複数の開閉部材に対して、磁石を兼用することができる。
また、突出開口を傾斜した開口としたことにより、塗布部が軸筒内の収容位置と軸筒外の突出位置の間を往復移動する際に、開閉部材の開閉動作が小さくて済む。
【発明の効果】
【００１６】
本発明の塗布具は、付勢部材が、常に開閉部材を閉じる方向に付勢しており、塗布時には、付勢部材の付勢力に抗して移動体を先端側に移動させて開閉部材を押し開いて、塗布部を軸筒の突出開口から突出させることが可能である。
また、塗布部を軸筒内に収容したときには、開閉部材は付勢部材の付勢力によって閉じ側に移動する。さらに、開閉部材は、磁石に吸引されることにより、軸筒の内外の通気性を遮断する様に突出開口を閉塞することができる。
塗布部を塗布位置に移動させた際に、軸筒の側面から突出する部材がないので、使用者は塗布具を把持し易い。
【図面の簡単な説明】
【００１７】
【図１】本実施形態における塗布具の斜視図である。
【図２】図１の塗布具の一部を破断して示す平面断面図である。
【図３】図１の塗布具の分解斜視図である。
【図４】図１の塗布具の先端部分の部分拡大断面図であり、（ａ）は、全ての開閉部材が閉じている状態を示し、（ｂ）は、一方の開閉部材が開いて塗布部が突出開口から突出している状態を示す。
【図５】図１の塗布具の先端部分を一部破断して示す部分拡大斜視図である。
【図６】図５の軸筒の先端部分を示す拡大断面図である。
【図７】図４の開閉部材とは別の開閉部材を有する塗布具の先端部分の部分拡大断面図であり、（ａ）は、全ての開閉部材が閉じている状態を示し、（ｂ）は、一方の開閉部材が開いて塗布部が突出開口から突出している状態を示す。
【図８】図１の塗布部の先端部分の一部を破断して示す部分拡大断面図であり、磁石を外して先端部分を真下に向けた状態を示す。
【図９】（ａ），（ｂ）は、図４（ａ）とは別の付勢部材を有する塗布具の先端部分の部分拡大断面図である。
【図１０】（ａ），（ｂ）は、図１とは別の塗布具の斜視図である。
【図１１】（ａ）は、図１０（ａ）の塗布具の正面図であり、（ｂ）は、図１０（ｂ）の塗布具の正面図である。
【発明を実施するための形態】
【００１８】
以下、図面を参照しながら説明する。
図１〜図３に示す様に、塗布具１は、軸筒２、移動体６，７、先端ユニット２５を有している。
【００１９】
移動体６，７は、細長い部材であり、先端側から順に、塗布部８，９、インキを内蔵するインキ貯留部６ａ，７ａ、ノック部３，４を有している。移動体６，７の先端側にはストッパ１４，１５が設けられている。ストッパ１４，１５と、軸筒２の後述する横仕切壁２０の間に、ばね１６，１７が設けられている。ばね１６，１７は、移動体６，７を後端側へ付勢し、軸筒２から突出した塗布部８，９を、軸筒２内に収容する際に機能する。
【００２０】
インキ貯留部６ａ，７ａ内のインキが塗布部８，９に移動し、塗布部８，９を紙等の塗布対象物に押し当てる等することにより、インキを塗布することができる。インキ貯留部６ａ，７ａ内のインキの色は、例えば赤色と青色等相違している。
【００２１】
軸筒２は、内部が空洞であり、図３，図６に示す様に、先端側には先端開口５ａ，５ｂが設けられており、後端側には後端孔３４，３５（図３）が設けられている。軸筒２の先端部分には、先端側へいくほど幅狭となる先端湾曲部２３（周壁）が設けられている。すなわち、軸筒２の軸心方向と直交する横断面積は、先端部分で若干小さくなっており、軸筒２の先端部分の周囲は、湾曲している。
また、軸筒２の横断面は横長であり、横長方向の中央部分には先端開口５ａ，５ｂを仕切る先端仕切部２９が設けられている。
【００２２】
軸筒２の内部の先端側近傍には、横仕切壁２０が設けられている。横仕切壁２０は、軸筒２内を先端部分とそれ以降の部分に仕切る部材である。横仕切壁２０には、孔２６，２７が設けられている。孔２６，２７は、軸筒２の先端側と後端側を連通させる孔である。
【００２３】
軸筒２の後端側には縦仕切壁２８が設けられている。縦仕切壁２８は、軸筒２の横長の横断面の中央に設けられていて軸線方向に延びており、軸筒２内の後端側の部位を軸線方向に延びる二つの領域に仕切っている。後端孔３４，３５は、縦仕切壁２８の両側に設けられている。
【００２４】
横仕切壁２０の先端側の面には、先端ユニット２５が気密を保った状態で固定されている。すなわち、先端ユニット２５は、軸筒２の先端近傍に固定されている。
【００２５】
先端ユニット２５は、図４（ａ）に示す様に、筒部１０，１１、開閉部材１２，１３、連結部３６、磁石２２を有している。磁石２２は、ネオジウム製，アルニコ製，フェライト製のものを採用するのが好ましい。図示していないが、磁石２２の錆び付き防止のため、気密性を有する被覆部材で磁石２２を被覆（カバー）したり、磁石２２に塗装を施してもよい。先端ユニット２５は、磁石２２を除いて全てエラストマ等の弾性を有する素材で一体成形されている。
【００２６】
筒部１０，１１は同じ形状を呈しており、両者は隣接しており、互いの後端部分の側面同士が連結部３６で連結されている。筒部１０，１１の後端側の開口面（図示せず）は、筒部１０，１１の軸線方向と直交している。
また、筒部１０，１１の先端側の開口面１０ａ，１１ａは、筒部１０の軸線方向に対して傾斜している。すなわち、開口面１０ａ，１１ａは、互いに最も近接する部位ほど先端側となり、最も離間している部位ほど後端側となるように傾斜している。
開口面１０ａ，１１ａは、隣接しており、直線状に配置されている。
筒部１０，１１の後端側の開口面は、軸筒２の横仕切壁２０の孔２６，２７（図３）とそれぞれ連通している。
【００２７】
筒部１０における、開口面１０ａの最も後端側の縁部分には、ヒンジ部３１（ヒンジ結合部）が設けられている。すなわち、ヒンジ部３１は、開口面１０ａの傾斜の最も後退している部位付近に設けられている。換言すると、ヒンジ部３１は、開口面１０ａにおける筒部１１から最も離れた箇所であって、後述する磁石２２から最も離れた箇所に設けられている。
同様に、筒部１１における、開口面１１ａの最も後端側の縁部分には、ヒンジ部４１（ヒンジ結合部）が設けられている。
【００２８】
筒部１０，１１には、ヒンジ部３１，４１を介して開閉部材１２，１３が接続されている。本実施形態では、筒部１０，１１、ヒンジ部３１，４１、開閉部材１２，１３（蓋部３０，４０）は、一体成形されている。開閉部材１２，１３は蓋部３０，４０、磁性体部３３，４３を有している。
蓋部３０，４０は、筒部１０，１１の開口面１０ａ，１１ａを閉じることができる大きさを有する部材である。蓋部３０，４０は、ヒンジ部３１，４１を中心に揺動可能であり、開口面１０ａ，１１ａを開閉することができる。
【００２９】
蓋部３０，４０には、磁性体部３３，４３が設けられている。
【００３０】
磁性体部３３，４３は、磁石２２に吸引される金属素材（強磁性体）で構成されている。図５に示す様に、磁性体部３３，４３は、蓋部３０，４０に一部又は大半の領域が重なって取り付けられている。磁性体部３３，４３は、蓋部３０，４０における開口面１０ａ，１１ａを閉じる面とは反対側の面に取り付けられており、蓋部３０，４０の一部を覆っている。すなわち、蓋部３０，４０における開口面１０ａ，１１ａを閉じる面を裏面とすると、磁性体部３３，４３は、蓋部３０，４０の表面側に取り付けられている。また、磁性体部３３，４３の一部は、蓋部３０，４０よりも、ヒンジ部３１，４１とは反対側（先端側）に若干突出している。
【００３１】
磁性体部３３，４３には、切欠部３３ａ，４３ａが設けられており、磁性体部３３，４３における切欠部３３ａ，４３ａ部分は、蓋部３０，４０を覆っておらず、蓋部３０，４０は露出している。
【００３２】
蓋部３０，４０（開閉部材１２，１３）には、突出片３２，４２（付勢部材）が設けられている。
突出片３２，４２は、蓋部３０，４０よりも面積が小さい板状の部位である。突出片３２，４２は、一端側が蓋部３０，４０の背面（開口面１０ａ，１１ａを閉じる面とは反対側の面）と一体成形されていて一体不可分であり、他端側が自由端であり、蓋部３０，４０に対して自然状態で所定の角度（例えば、４５度〜９０度）を成している。自然状態で所定の角度を成す蓋部３０，４０と突出片３２，４２を付勢力（復元力）に抗して押圧すると、突出片３２，４２は、磁性体部３３，４３の切欠部３３ａ，４３ａに入り込んで蓋部３０，４０と密着する。
すなわち、突出片３２，４２（付勢部材）は、開閉部材１２，１３の背面には固定されているが、先端湾曲部２３（周壁）には固定されていない。
突出片３２，４２は、本実施形態で示す様な幅の広い板状のものに限らず、幅の狭い棒状のものであってもよい。
【００３３】
図５に示す例では、磁性体部３３の切欠部３３ａは、長方形に切り欠かれており、突出片３２は、切欠部３３ａに丁度嵌まり込む大きさ及び形状を呈している。すなわち、蓋部３０と突出片３２を付勢力に抗して押圧し、両者を重ねると、突出片３２は切欠部３３ａ内に入り込む。図５では、蓋部３０（開閉部材１２）が開口面１０ａ（図示せず）を閉じており、蓋部４０（開閉部材１３）が開口面１１ａを開き、蓋部４０と突出片４２が密着し、突出片４２が磁性体部４３の切欠部４３ａ内に入り込んでいる状態を示している。
【００３４】
磁性体部３３，４３に切欠部３３ａ，４３ａを設けず、開閉部材１２，１３（蓋部３０，４０）の全体を磁性体部３３，４３で覆っていてもよい。この場合には、蓋部３０，４０と突出片３２，４２が角度を狭めた際に、間にある磁性体部３３，４３を咬み込むことになるが、差し支えない。
【００３５】
磁石２２は、直方体形状を呈している。磁石２２は、磁石２２の長手方向を、塗布具１の軸線方向に合わせて後述の磁石配置部２４に配置されている。
【００３６】
筒部１０，１１の間には、磁石２２を配置する磁石配置部２４が設けられている。磁石配置部２４は、磁石２２の安定した保持が可能である。本実施形態では、磁石配置部２４は、中央保持部２４ａと、対向する一対の側面保持部２４ｂ，２４ｃの３つの部位で構成されている。各保持部は、連結部３６と直交する方向（筒部１０，１１の軸線方向）に起立している。
【００３７】
側面保持部２４ｂ，２４ｃは、それぞれ筒部１０，１１の側壁と一体成形された板状の部位である。側面保持部２４ｂ，２４ｃは、磁石２２の側面形状に沿った形状を呈しており、本実施形態では、直方体形状の磁石２２の側面と密着する平面を有している。
中央保持部２４ａは、筒部１０の軸線と直交する断面で切った横断面が十字形を呈している。中央保持部２４ａと側面保持部２４ｂ，２４ｃは、連結部３６と一体化されており、中央保持部２４ａの長さは、側面保持部２４ｂ，２４ｃの長さよりも短い。
また、中央保持部２４ａは、側面保持部２４ｂ，２４ｃと平行な部位と、側面保持部２４ｂ，２４ｃと直交する部位を有している。中央保持部２４ａの側面保持部２４ｂ，２４ｃと直交する部位は、側面保持部２４ｂ，２４ｃの中央部分と接続されている。すなわち、中央保持部２４ａは、側面保持部２４ｂ、２４ｃと一体成形されている。
【００３８】
磁石配置部２４には磁石２２が配置されている。磁石２２は、直方体形状を呈しており、長手方向の一端を先端側、他端を後端側として磁石配置部２４に配置されている。
磁石２２の後端は、中央保持部２４ａの先端部分に当接している。また、磁石２２は、側面保持部２４ｂ，２４ｃで挟持されている。すなわち、磁石２２の側面は、側面保持部２４ｂ，２４ｃと圧接している。磁石２２の先端側は、筒部１０，１１よりも若干突出している。
【００３９】
先端ユニット２５は、軸筒２内の横仕切壁２０に固定されており、軸筒２内の先端部分に配置されている。磁石２２の先端側端部は、軸筒２の先端部分に設けられた先端仕切部２９（図５）に当接している。すなわち、先端仕切部２９が、磁石２２の先端側端部に当接することにより、磁石２２は軸筒２の先端部分に固定されている。すなわち、磁石２２は、蓋部３０，４０側に設けられていない。換言すると、先端仕切部２９を設けることによって、磁石２２は軸筒２に内蔵された様な状態になる。そのため、磁石を蓋部３０，４０に設けた場合と比較して、磁石２２の磁束が軸筒２の外部に漏れにくくなり、精密機器等に対して悪影響を及ぼしにくい。
【００４０】
また、磁石２２は、中央保持部２４ａや側面保持部２４ｂ，２４ｃと接着されていてもよく、この場合には、磁石２２の先端側端部を先端仕切部２９に当接させなくても、磁石２２を軸筒２の先端部分に固定することができる。
【００４１】
塗布部８，９が軸筒２（筒部１０，１１）内に収容されている状態では、図４（ａ）に示す様に、蓋部３０，４０の突出片３２，４２は、軸筒２の先端湾曲部２３（軸筒２の先端部分の湾曲した内面）に当接している。
磁性体部３３，４３は、共通の磁石２２と接触している。
自然状態で突出片３２，４２と所定の角度を呈する蓋部３０，４０は、筒部１０，１１の軸線に対して傾斜した開口面１０ａ，１１ａを閉じている。磁性体部３３，４３が磁石２２に吸着することによって、蓋部３０，４０は開口面１０ａ，１１ａを、気密を保つ様に閉じている。すなわち、蓋部３０，４０（開閉部材１２，１３）と開口面１０ａ，１１ａの間の通気性が失われている。
【００４２】
突出片３２，４２と蓋部３０，４０の間の付勢力は、突出片３２，４２が先端湾曲部２３（周壁）に当接した状態で、磁性体部３３，４３が磁石２２の磁界内に位置し、磁性体部３３，４３が磁石２２に吸着する様に、蓋部３０，４０の開度を制限する様に作用する。
【００４３】
蓋部３０，４０が開口面１０ａ，１１ａを閉じた状態では、突出片３２，４２と軸筒２の先端湾曲部２３（軸筒２の先端部分の湾曲した内面）が当接していて、突出片３２，４２と蓋部３０，４０の間に付勢力が作用していてもよいが、突出片３２，４２と軸筒２の先端湾曲部２３の間に隙間があってもよい。
【００４４】
すなわち、突出状態の塗布部８，９が筒部１０，１１内に収容された際に、先端湾曲部２３（周壁）を押圧している突出片３２，４２と、蓋部３０，４０の間の付勢力によって、蓋部３０，４０に設けられた磁性体部３３，４３が、磁石２２の磁界に入る程度に蓋部３０，４０が閉方向に揺動すればよい。蓋部３０，４０が開口面１０ａ，１１ａを閉塞する前に、突出片３２，４２と蓋部３０，４０の間の付勢力がなくなっても、磁性体部３３，４３が磁石２２の磁界に入ると、磁性体部３３，４３（蓋部３０，４０）が磁石２２に吸引され、蓋部３０，４０が開口面１０ａ，１１ａを閉塞する。
【００４５】
磁石２２は、筒部１０と筒部１１の間に配置されているので、筒部１０，１１の開口面１０ａ，１１ａを閉塞する蓋部３０，４０に設けられた磁性体部３３，４３を同時に吸引したり、吸着させることができる。すなわち、塗布具１の先端部のレイアウトが工夫されており、一つの磁石２２によって複数の磁性体部３３，４３を吸引したり、吸着させることができる。
【００４６】
磁石２２は、先端側から後端側に延びる複数の磁石を一致させて束ねて構成してもよいが、全体として一つの磁石である。よって、塗布具１では、一つの磁石２２によって、二つの蓋部３０と蓋部４０の閉塞状態を維持している。
【００４７】
軸筒２は、移動体６，７を収容可能であり、移動体６，７の塗布部８，９が、横仕切壁２０の孔２６，２７を貫通し、さらに先端ユニット２５の筒部１０，１１内に配置されている。また、ノック部３，４が、軸筒２の後端孔３４，３５を貫通している。
軸筒２には、移動体６，７の位置を、塗布部８，９を収容した収容位置と、塗布部８，９を先端開口５ａ，５ｂから突出させた突出位置で固定する周知の固定機構（図示せず）が設けられている。
【００４８】
次に、塗布具１の動作について説明する。
【００４９】
蓋部３０，４０が閉じた状態で、ノック部３，４を押圧し、軸筒２内の収容位置にある移動体６，７を軸筒２の先端側方向へ移動させると、塗布部８，９が蓋部３０，４０を押し開いて軸筒２の先端開口５ａ，５ｂから突出する。
図４（ｂ），図５では、塗布部９が蓋部４０を押し開いて先端開口５ｂから突出している状態を示している。すなわち、塗布部９が塗布可能な状態となっている。
【００５０】
開口面１０ａ，１１ａは、互いに最も離れている部位が最も後端側であり、互いに最も接近している部位が最も先端側となるように傾斜する傾斜面である。また、筒部１０，１１には、開口面１０ａ，１１ａの近くであって、互いに最も離れている部位にヒンジ部３１，４１が設けられている。そのため、塗布部８，９が蓋部３０，４０を押し開く際には、蓋部３０，４０の回動角度が小さくて済む。すなわち、蓋部３０，４０の開閉動作が小さくて済む。
【００５１】
すなわち、開口面１０ａ，１１ａが、筒部１０，１１の軸線方向と直交していてもよいが、直交する場合には、塗布部８，９が開口面１０ａ，１１ａから突出するためには、蓋部３０，４０を９０度程度回動させなければならない。しかし、本実施形態の様に、開口面１０ａ，１１ａを傾斜面とすることにより、蓋部３０，４０の回動角度を小さくすることができる。
【００５２】
例えば、筒部１０，１１の軸線と直交する面に対して、開口面１０ａ，１１ａ（傾斜面）が３０度〜６０度程度傾斜している場合には、開口面１０ａ，１１ａを開閉する蓋部３０，４０は、６０度〜３０度程度回動すると、塗布部８，９を通過させることができる。
【００５３】
図４（ｂ），図５に示す様に、塗布部９が突出位置にあるとき、突出片４２は、軸筒２の先端湾曲部２３に押し付けられており、突出片４２と蓋部４０の成す角度が、自然状態（例えば、４５度〜９０度）よりも小さい角度（例えば、０度〜２０度）になっている。そのため、突出片４２と蓋部４０の間には付勢力が生じており、蓋部４０は塗布部９の側面を押圧している。
【００５４】
突出片４２が軸筒２の先端湾曲部２３に押し付けられ、さらに蓋部４０が開くと、突出片４２と蓋部４０の間に付勢力が発生する。この付勢力によって、蓋部４０の開動作が制限を受ける。すなわち、図５に示す様に、必要以上に蓋部４０は開かず、筒部１１の開口面１１ａと、蓋部４０の成す角度は、塗布部９を通過させることができる最小限の角度となっている。
【００５５】
また、図示しない固定機構によって、軸筒２に対して移動体７の位置が固定されており、ばね１７が圧縮されている。
【００５６】
次に、塗布部８，９が突出し、蓋部３０，４０が開いた状態から、塗布部８，９を軸筒２（筒部１０，１１）内に収容し蓋部３０，４０を閉じる際には、図示しない固定機構を操作し、ばね１７の付勢力によって塗布部９を筒部１１内に収容すると、塗布部９の側面を押圧していた蓋部４０が、突出片４２との間の付勢力によって開口面１１ａを閉じる。その際、蓋部４０と突出片４２の間の付勢力によって、蓋部４０及び磁性体部４３が、ヒンジ部４１を中心に開口面１１ａを閉じる方向に揺動し、磁性体部４３が、磁石２２の磁界内に入る。そして、磁性体部４３が磁石２２に吸引され、蓋部４０が開口面１１ａを、気密を保つ様に閉塞する。すなわち、軸筒２の内外の通気が遮断され、塗布部９の乾燥が防止される。
【００５７】
ここで、仮に、開口面１１ａが、筒部１０の軸線に対して直交していた場合には、蓋部４０は、９０度程度回動しなければ、開口面１１ａを閉じることができない。そのため、蓋部４０を９０度近い角度だけ回動させる大きさの付勢力を、蓋部４０と突出片４２の間に生じさせなければ、磁性体部４３が磁石２２の磁界に入らず、蓋部４０は開口面１１ａを閉塞することができない。そこで、蓋部４０と突出片４２の間にこの様な大きさの付勢力を生じさせると、今度は塗布部９を突出させる際に、塗布部９は、蓋部４０と突出片４２の間の大きな付勢力に抗して蓋部４０を押し開かなければならず、塗布具１の操作性が損なわれる。
【００５８】
しかし、本実施形態の塗布具１では、開口面１１ａを傾斜面としたので、突出した塗布部９を筒部１１内に収容する際に、開状態の蓋部４０が閉状態まで回動する角度は小さくて済む。すなわち、蓋部４０と突出片４２の間に生じる付勢力は、蓋部４０を９０度よりも小さい角度だけ回動させると、磁性体部４３が磁石２２の磁界に入って吸引され、蓋部４０が開口面１１ａを閉塞することができる。
【００５９】
例えば、筒部１１の軸線と直交する面に対して、開口面１１ａが３０度〜６０度傾斜している場合には、蓋部４０は、６０度〜３０度程度回動するだけで磁性体部４３が磁石２２の磁界に入って吸引され、蓋部４０が開口面１１ａに密着し、筒部１１の内外の通気を遮断する様に開口面１１ａを閉塞することができる。
開口面１０ａについても同様である。
【００６０】
開口面１０ａ，１１ａの傾斜角（筒部１０，１１の軸線と直交する面に対する角度）は、３０度〜６０度が好ましく、さらに４０度〜５０度であるのがより好ましい。傾斜角が小さいと、蓋部３０，４０の回動角度が大きくなって、大きな付勢力に抗して塗布部８，９を突出させなければならず、逆に傾斜角が大きすぎると、塗布部８，９の収容位置と突出位置の間の距離（移動ストローク）が大きくなり過ぎてしまうという不具合が出てくる。そのため、開口面１０ａ，１１ａの傾斜角は、少なくとも３０度〜６０度の範囲であるのが好ましい。
【００６１】
また、磁性体部４３は、磁石２２に吸引されているが、蓋部４０が開口面１１ａを閉じた際に、磁性体部４３と磁石２２は、図７（ａ）に示す様に、若干の隙間１９があってもよい。また、磁束を通過させる非磁性の被覆部材で磁石２２を被覆し、磁性体部４３が磁石２２に直に接触しないようにしてもよい。
【００６２】
蓋部３０，４０が、開口面１０ａ，１１ａを閉じた際に、磁性体部３３，４３と磁石２２の間に隙間１８，１９が生じるようにすると、塗布部８，９を突出させる際に、蓋部３０，４０が円滑に開く。すなわち、比較的小さい押圧力で蓋部３０，４０が開動作を開始することができる。隙間１８，１９を設ける代わりに、磁束を通過させる非磁性の被覆部材で磁石２２を被覆し、磁石２２と磁性体部３３，４３が接触しない様にしても同様の作用効果が得られる。逆に、図４（ａ）に示す様に、磁性体部３３，４３を磁石２２に接触させると、蓋部３０，４０で開口面１０ａ，１１ａをより強力に閉塞することができる。
【００６３】
また、蓋部３０，４０と突出片３２，４２との間の付勢力を大きくし過ぎると、磁石２２と磁性体部３３，４３を省略しても、蓋部３０，４０によって開口面１０ａ，１１ａを閉塞することができるが、塗布部８，９を突出させる際に、大きな付勢力に抗して蓋部３０，４０を開く必要があるため、ノック操作が非常に堅くなり、塗布具１を使用しにくくなる。
【００６４】
そこで本実施形態の様に、塗布具１を構成すると、比較的小さな力で蓋部３０，４０を押し開いて塗布部８，９を突出させることができ、さらに、塗布部８，９を筒部１０，１１（軸筒２）内に収容した際には、蓋部３０，４０によって開口面１０ａ，１１ａを確実に閉塞して筒部１０，１１の内外の通気を確実に遮断し、塗布部８，９の乾燥を防止することができる。
【００６５】
また、塗布具１では、磁石２２を一つ設けるだけで、複数の蓋部３０，４０で筒部１０，１１の開口面１０ａ，１１ａを同時に閉塞することができる。
そして、塗布部８を使用する際には、塗布部８で蓋部３０のみを押し開いて、磁性体部３３のみが磁石２２から離れる。このとき、塗布部８は先端開口５ａから突出して塗布可能な状態であるが、塗布部９は、筒部１１内に収容されており、開口面１１ａは蓋部４０によって気密を保った状態で閉塞されている。
【００６６】
同様に、塗布部９を使用する際には、磁性体部４３のみが磁石２２から離れ、蓋部４０が開くが、磁性体部３３は磁石２２に吸着している、又は磁石２２に吸引されている。そのため、蓋部３０は、筒部１０の開口面１０ａを、気密を保った状態で閉塞している。
【００６７】
ここで、仮に軸筒２から磁石２２を外し、塗布具１を先端側を真下に向けると、図８に示す様に、蓋部３０，４０（磁性体部３３，４３を含む）が自重でヒンジ部３１，４１を中心に若干揺動し、蓋部３０，４０（開閉部材１２，１３）は開口面１０ａ，１１ａから離れる。又は、蓋部３０，４０が開口面１０ａ，１１ａから離れてはいないものの、蓋部３０，４０と開口面１０ａ，１１ａとの間の気密性が損なわれている。すなわち、蓋部３０，４０（開閉部材１２，１３）と開口面１０ａ，１１ａの間に通気性がある。
【００６８】
蓋部３０，４０と一体の突出片３２，４２（付勢部材）が、先端湾曲部２３（軸筒２の内面）に当接しており、蓋部３０，４０には付勢力が作用している。そのため、開口面１０ａ，１１ａを開く方向への蓋部３０，４０の揺動が制限されている。蓋部３０，４０と一体の磁性体部３３，４３は、磁石２２が存在するべき箇所付近（磁石２２の磁界内）に位置している。
よって、磁石２２が存在していると、磁性体部３３，４３が磁石２２に吸引され、蓋部３０，４０が開口面１０ａ，１１ａを通気不能に確実に閉塞する。
【００６９】
次に、塗布具１の変形例について説明する。
図９（ａ）は、塗布具１ａの先端部分を示しており、突出片３２，４２の代わりに、蓋部３０，４０に圧縮ばね３７，４７を設けた例を示す。
【００７０】
軸筒２の先端部分を若干先端方向に延長し、先端湾曲部２３と蓋部３０，４０の間に圧縮ばね３７，４７を配置する。圧縮ばね３７，４７の付勢力（弾性力）は、磁石２２を外し、塗布具の先端側を真下に向けた際に、蓋部３０，４０が若干開口面１０ａ，１１ａを開く程度である。すなわち、圧縮ばね３７，４７の付勢力は、磁石２２があれば、磁性体部３３，４３が磁石２２に吸引されて蓋部３０，４０が開口面１０ａ，１１ａを閉塞することができる程度に、蓋部３０，４０を押圧する付勢力である。
【００７１】
また、図９（ｂ）は、塗布具１ｂの先端部分を示しており、蓋部３０，４０における磁石２２側（先端側）の部位に突出片３８，４８が設けられている。
突出片３８，４８は、各々磁性体部３３，４３の切り欠かれた部位（図示せず）に配されており、蓋部３０，４０が開閉すると、蓋部３０，４０と突出片３８，４８のなす角度が変化する。
【００７２】
突出片３８，４８は、自然状態で蓋部３０，４０に対して所定の角度を呈している。蓋部３０，４０と突出片３８，４８の角度を小さくすると、両者の間には付勢力（復元力）が生じる。
【００７３】
図９（ｂ）では、蓋部４０が開いている状態を示しており、突出片４８と蓋部４０の間の角度が小さくなっており、両者間には付勢力が作用している。この付勢力は、塗布具１ｂを真下に向けた場合に、磁性体部４３が、磁石２２の磁界の範囲内に入るように蓋部４０（磁性体部４３）を移動（揺動）させる程度の大きさである。
【００７４】
開閉部材１２，１３は、上述の様に、磁石２２に吸引されない強磁性体ではない蓋部３０，４０と、磁石に吸引される強磁性体からなる磁性体部３３，４３を有していてもよいが、開閉部材１２，１３の全体が磁石２２に吸引される強磁性体で構成されていてもよい。
【００７５】
以上の実施形態では、塗布具１が二つの移動体６，７（塗布部８，９）を有する場合を示したが、移動体（塗布部）の数は、三つ（三色）であってもよい。図１０（ａ），図１１（ａ）に示す塗布具５１は、三つの移動体７１〜７３を有しており、磁石２２が三つの筒部５５〜５７の中央に配置されている。すなわち、各筒部５５〜５７（開口面５５ａ〜５７ａ）は、磁石２２の周囲に三角形状に配置されている。
【００７６】
そして、各筒部５５〜５７の開口面５５ａ〜５７ａを閉じる蓋部５８〜６０に設けられた磁性体部６１〜６３が、磁石２２に吸引されており、各蓋部５８〜６０が、開口面５５ａ〜５７ａを閉塞している。
【００７７】
また、移動体（塗布部）の数は、図１０（ｂ），図１１（ｂ）に示す塗布具５２の様に一つ（一色）であってもよい。塗布具５２では、筒部６５を開閉する蓋部６６に設けられた磁性体部６７が、磁石２２ａに吸引されることにより、蓋部６６が開口面６５ａを密封している。
さらに、移動体（塗布部）の数は、四つ（四色）以上であってもよい。この場合においても、磁石の周囲に、各塗布部を収容する筒部の開口面を、多角形を形成する様に配置するのが好ましい。すなわち、多角形を形成する様に配置された各開口面の中央に磁石があるのが好ましい。
【００７８】
磁石２２の形状は、直方体形状に限らず、円柱形状や、多角柱形状であってもよい。三以上の塗布部を有する場合には、円柱形状や多角柱形状であるのが好ましい。
【符号の説明】
【００７９】
１    塗布具
２    軸筒
６，７  移動体
８，９  塗布部
１０ａ，１１ａ  開口面（突出開口）
１２，１３  開閉部材
２２    磁石
２３    先端湾曲部（周壁）
３１，４１  ヒンジ部（ヒンジ結合部）
３２，４２  突出片（付勢部材）
３３，４３  磁性体部
【図１】
2017087684.tif 000003
【図２】
2017087684.tif 000004
【図３】
2017087684.tif 000005
【図４】
2017087684.tif 000006
【図５】
2017087684.tif 000007
【図６】
2017087684.tif 000008
【図７】
2017087684.tif 000009
【図８】
2017087684.tif 000010
【図９】
2017087684.tif 000011
【図１０】
2017087684.tif 000012
【図１１】
2017087684.tif 000013